(57)【要約】【課題】固定部材を用いて管継手を取付け対象面に固定する際における、該固定部材と管継手との干渉を抑制する。【解決手段】筒体１２と、該筒体１２の外周から張り出して構成されたフランジ１４と、該フランジ１４に貫通形成され、該フランジ１４を床面１８（取付け対象面）に固定する際に差し込まれる皿ねじ２４（固定部材）の進行方向が、筒体１２から離れる方向となるように案内する固定孔１６と、を有している。皿ねじ２４を床面１８に対して垂直に打ち込んで行っても、固定孔１６により、該皿ねじ２４の進行方向が筒体１２から離れる方向へ案内される。【選択図】図２
2012107720.tif 000002
【特許請求の範囲】
【請求項１】
筒体と、
該筒体の外周から張り出して構成されたフランジと、
該フランジに貫通形成され、該フランジを取付け対象面に固定する際に差し込まれる固定部材の進行方向が、前記筒体から離れる方向となるように案内する固定孔と、
を有する管継手。
【請求項２】
前記固定孔の軸線は、前記筒体の軸線に対して、前記固定部材の進行方向前方側に向かって前記筒体から離れる方向に、１５〜２５°傾斜している請求項１に記載の管継手。
【請求項３】
前記フランジのうち、前記固定孔の入口側の面における該固定孔の外側に、凸部が設けられている請求項１又は請求項２に記載の管継手。
【発明の詳細な説明】
【技術分野】
【０００１】
本発明は、管継手に関する。
【背景技術】
【０００２】
管継手のフランジよりも外径が大きい取付部材本体と、取付部材本体の一方の面に形成されてフランジを収容可能な収容凹部と、収容凹部の底面を貫通しフランジの外径より径が小さく配管の外径より径が大きい貫通孔と、収容凹部にフランジを収容したときに孔に入り込む突起と、取付部材本体を床面に皿ねじで固定するための固定孔と、を有する管継手取付部材が開示されている（特許文献１参照）。
【先行技術文献】
【特許文献】
【０００３】
【特許文献１】特開２０１０−６５７３２号公報
【発明の概要】
【発明が解決しようとする課題】
【０００４】
床下に配設された給水給湯用の樹脂配管（例えば、ポリブテン管）を床上に立ち上げる場合、通常、床の所望の位置に孔（以下、床孔）を形成し、この床孔を通して樹脂配管を床上まで引き出して、樹脂配管の先端に管継手を接続し、その後、床孔から樹脂配管を床下に押し戻し、管継手のフランジを床孔の縁部に載置して、床面に、フランジに形成された固定孔を介して、皿ねじや釘等の固定部材を打込んで、管継手を床面に固定している。この際、固定部材を取付け対象面に対して垂直方向に打ち込んで行くことが一般的である。
【０００５】
しかしながら、取付け対象面の状態や作業スペース等の関係で、固定部材の打込み方向が、取付け対象面に対して垂直方向ではなく、該垂直方向に対して斜めに傾いてしまうことがある。上記した従来例では、このような固定部材の傾きについて何ら考慮されていない。
【０００６】
本発明は、上記事実を考慮して、固定部材を用いて管継手を取付け対象面に固定する際における、該固定部材と管継手との干渉を抑制することを目的とする。
【課題を解決するための手段】
【０００７】
請求項１の発明は、筒体と、該筒体の外周から張り出して構成されたフランジと、該フランジに貫通形成され、該フランジを取付け対象面に固定する際に差し込まれる固定部材の進行方向が、前記筒体から離れる方向となるように案内する固定孔と、を有している。
【０００８】
請求項１に記載の管継手では、フランジに貫通形成された固定孔により、固定部材の打込み時の進行方向が筒体から離れる方向へ案内される。このため、固定部材を用いて管継手を取付け対象面に固定する際における、該固定部材と管継手との干渉を抑制することができる。
【０００９】
請求項２の発明は、請求項１に記載の管継手において、前記固定孔の軸線は、前記筒体の軸線に対して、前記固定部材の進行方向前方側に向かって前記筒体から離れる方向に、１５〜２５°傾斜している。
【００１０】
傾斜角度が下限値を下回ったり、また上限値を上回ったりすると、固定部材の打込み時の進行方向が、筒体から離れる方向とならならなかったり、作業性が悪化する懸念がある。
【００１１】
請求項２に記載の管継手では、固定孔の軸線の傾斜角度を適切に設定しているので、固定部材と管継手との干渉を安定的に抑制することができる。
【００１２】
請求項３の発明は、請求項１又は請求項２に記載の管継手において、前記フランジのうち、前記固定孔の入口側の面における該固定孔の外側に、凸部が設けられている。
【００１３】
請求項３に記載の管継手では、固定孔の外側に設けられた凸部により、打込みが完了し傾斜状態となった固定部材の頭部が、フランジのうち固定孔の入口側の面から突出することが抑制される。このため、取付け対象面への管継手の固定後、フランジを化粧用のカバーで覆う場合に、該カバーと固定部材の頭部との干渉を抑制することができる。
【発明の効果】
【００１４】
以上説明したように、本発明に係る請求項１に記載の管継手によれば、固定部材を用いて管継手を取付け対象面に固定する際における、該固定部材と管継手との干渉を抑制することができる、という優れた効果が得られる。
【００１５】
請求項２に記載の管継手によれば、固定部材と管継手との干渉を安定的に抑制することができる、という優れた効果が得られる。
【００１６】
請求項３に記載の管継手によれば、取付け対象面への管継手の固定後、フランジを化粧用のカバーで覆う場合に、該カバーと固定部材の頭部との干渉を抑制することができる、という優れた効果が得られる。
【図面の簡単な説明】
【００１７】
【図１】管継手におけるフランジの固定孔を示す要部拡大断面図である。
【図２】皿ねじにより管継手を床面に固定した状態を示す断面図である。
【図３】フランジに凸部を有する管継手を床面に固定し、フランジをカバーで覆った状態を示す断面図である。
【図４】固定孔付近に削れが生じない角度を示す正面図である。
【発明を実施するための形態】
【００１８】
以下、本発明を実施するための形態を図面に基づき説明する。図１，図２において、本実施の形態に係る管継手１０は、筒体１２と、フランジ１４と、固定孔１６とを有している。図２，図３に示されるように、この管継手１０は、取付け対象面の一例たる床面１８の下側、即ち床下の配管Ｐ１と、該床面１８の上側、即ち床上の配管Ｐ２とを接続するための、例えばストレート型の継手である。床下の配管Ｐ１は樹脂管（例えばポリブテン管）、床上の配管Ｐ２は金属管である。
【００１９】
なお管継手１０は、ストレート型に限定されるものではなく、エルボー型、Ｔ字型等であってもよい。また、本実施形態では、床下の配管Ｐ１を樹脂管、床上の配管Ｐ２を金属管としているが、該配管Ｐ１，Ｐ２の材質はこれらに限定されるものではない。
【００２０】
筒体１２は、例えば金属製であり、軸方向の一端に、床下の配管Ｐ１が接続される第１配管接続部２１を有し、軸方向の他端に、床上の配管Ｐ２が接続される第２配管接続部２２を有している。管継手１０を床面１８に固定した際には、第１配管接続部２１が下側に位置し、第２配管接続部２２が上側に位置する。なお、管継手１０の固定に先立って、床面１８には筒体１２を通すための貫通孔１８Ａが設けられる。
【００２１】
図２，図３において、第１配管接続部２１は、配管Ｐ１を差し込むと、該配管Ｐ１の差し込んだ部分に食い込む爪（図示せず）を有しており、この爪が配管Ｐ１に食い込むことで、該配管Ｐ１が第１配管接続部２１に接続されるようになっている。
【００２２】
なお本実施形態では、第１配管接続部２１の爪が配管Ｐ１に食い込むことで第１配管接続部２１と配管Ｐ１とが接続される構成としているが、本発明はこの構成に限定される必要はなく、第１配管接続部２１と配管Ｐ１とに夫々ねじを形成してこれらを螺合させて第１配管接続部２１と配管Ｐ１とを接続する構成としてもよく、それ以外の手段で第１配管接続部２１と配管Ｐ１とを接続する構成としてもよい。また本実施形態の第１配管接続部２１は、一度接続した配管を接続解除できない構造、つまり、食い込んだ爪が抜けない構造となっているが、本発明はこの構成に限定される必要はなく、接続した配管が冶具などを用いて接続解除できる構造としてもよい。
【００２３】
図２，図３において、第２配管接続部２２は、筒体１２の軸方向の他端に形成された雌ねじであり、配管Ｐ２の先端部に形成された雄ねじ２０がねじ込まれることで配管Ｐ２と接続されるようになっている。
【００２４】
なお、本実施形態では、筒体１２を金属製としているが、材質はこれに限られるものではなく、樹脂やそれ以外の材質により構成されていてもよい。筒体１２を樹脂製にするときは、配管Ｐ２も樹脂製とすることが好ましい。
【００２５】
また、本実施形態では、第２配管接続部２２である雌ねじに配管Ｐ２の先端部に形成された雄ねじ２０をねじ込むことで第２配管接続部２２と配管Ｐ２とが接続される構成としているが、接続手段はこれに限られず、第２配管接続部２２に、配管Ｐ２における差込み部分の外周面を押圧して抜けを阻止する押圧部材（例えば、ゴムパッキンやＯリングなど）を設け、この押圧部材で配管Ｐ２の抜けを阻止して第２配管接続部２２と配管Ｐ２とを接続する構成としてもよく、それ以外の手段で第２配管接続部２２と配管Ｐ２とを接続する構成としてもよい。
【００２６】
フランジ１４は、筒体１２の外周から張り出して構成されており、平面視で例えば円形に形成されている。本実施形態では、フランジ１４は、筒体１２における第２配管接続部２２側の端部に設けられている。なお平面視でのフランジ１４の形状は、円形には限られず、多角形であってもよい。
【００２７】
固定孔１６は、フランジ１４に貫通形成されている。具体的には、固定孔１６は、例えばフランジ１４の中心から一定径の位置かつ周方向に均等な角度位置に３箇所形成されている。なお、固定孔１６は３箇所には限られず、２箇所以上形成されていればよい。
【００２８】
この固定孔１６は、フランジ１４を床面１８に固定する際に差し込まれる固定部材の進行方向が、筒体１２から離れる方向となるように案内するように構成されている。固定部材は、例えば頭部２４Ａが皿状の木ねじであり、以下「皿ねじ２４」という。具体的には、図１に示されるように、固定孔１６の軸線Ｌ１６は、筒体１２の軸線Ｌ１２に対して、皿ねじ２４の進行方向前方側に向かって筒体１２から離れる方向に、１５〜２５°傾斜している（傾斜角度θ）。
【００２９】
この傾斜角度θが下限値を下回ったり、また上限値を上回ったりすると、皿ねじ２４の打込み時の進行方向が、筒体１２から離れる方向とならなかったり、作業性が悪化する懸念がある。
【００３０】
固定孔１６の入口側には、皿ねじ２４の頭部２４Ａのテーパ形状に対応する座ぐり加工が施され、これによって例えば円錐面１６Ａが形成されている。本実施形態では固定孔１６が傾斜していることから、皿ねじ２４の頭部２４Ａがすべて沈むように円錐面１６Ａを形成すると、フランジ１４における固定孔１６の部位の肉厚が少なくなってしまう。そのため、本実施形態では、円錐面１６Ａは、主として、固定孔１６の入口側におけるフランジ１４の径方向内側に形成されている。
【００３１】
なお、固定孔１６の位置は、傾斜角度θが０°である場合に、皿ねじ２４を床面１８に対して垂直に打ち込んで行ったときに、第１配管接続部２１に干渉しない位置に設定されている。固定孔１６の直径や座ぐり加工された円錐面１６Ａの形状等は、皿ねじ２４の外径に対応して、ＪＩＳ規格により定められる。
【００３２】
また管継手１０の構成は、上記のものに限られるものではなく、図３に示されるように、フランジ１４のうち、固定孔１６の入口側の面１４Ａにおける該固定孔１６の外側に、凸部２６を設けてもよい。この凸部２６は、固定孔１６の位置に対応して局所的に設けてもよいし、また円弧状に連続的に設けてもよい。この凸部２６の高さは、打込みが完了し傾斜状態となった皿ねじ２４の頭部２４Ａが、フランジ１４の面１４Ａからの突出する高さと同等であり、好ましくは、該頭部２４Ａの高さよりも若干大きいことが望ましい。
【００３３】
床面１８への管継手１０の固定後、フランジ１４を化粧用のカバー２８で覆うことができる。この場合、上記のような凸部２６を設けておくことで、皿ねじ２４の頭部２４Ａが傾斜してフランジ１４の面１４Ａから突出していても、カバー２８と該頭部２４Ａとの干渉を抑制することが可能となっている。
【００３４】
（作用）
本実施形態は、上記のように構成されており、以下その作用について説明する。図１，図２において、本実施形態に係る管継手１０では、フランジ１４に貫通形成された固定孔１６により、皿ねじ２４の打込み時の進行方向が筒体１２から離れる方向へ案内される。
【００３５】
具体的には、固定孔１６の軸線Ｌ１６が、筒体１２の軸線Ｌ１２に対して、皿ねじ２４の進行方向前方側に向かって筒体１２から離れる方向に傾斜しているので（図１）、図２において二点鎖線で示されるように、皿ねじ２４を床面１８に対して垂直に打ち込んで行っても、傾斜した固定孔１６により、該皿ねじ２４の進行方向が筒体１２から離れる方向、即ち、該筒体１２の径方向外側へ案内される。また作業スペースの関係で、皿ねじ２４が筒体１２側に傾いて打ち込まれたとしても、同様にして該皿ねじ２４の進行方向を、筒体１２の径方向外側へ案内することができる。
【００３６】
筒体１２の軸線Ｌ１２に対する固定孔１６の軸線Ｌ１６の傾斜角度θ（図１）が適切に設定されているので、皿ねじ２４を用いて管継手１０を床面１８に固定する際における、該皿ねじ２４と、該管継手１０における例えば第１配管接続部２１との干渉を安定的に抑制することができる。
【００３７】
固定孔１６の入口側に座ぐり加工された円錐面１６Ａは、主として、固定孔１６の入口側におけるフランジ１４の径方向内側に形成されているので、皿ねじ２４の打込みが完了した際、傾斜状態となった頭部２４Ａのうち、フランジ１４の径方向内側の部分は、円錐面１６Ａに入り込む。これにより、頭部２４Ａの一部がフランジ１４の面１４Ａから突出することが抑制される。しかしながら、フランジ１４の径方向外側においては、円錐面１６Ａがほとんど形成されていないので、皿ねじ２４の頭部２４Ａがフランジ１４の面１４Ａから突出した状態となる。
【００３８】
これを考慮して、図３に示されるように、固定孔１６の外側に凸部２６を設けることで、打込みが完了し傾斜状態となった皿ねじ２４の頭部２４Ａが、フランジ１４のうち固定孔１６の入口側の面１４Ａから突出することを抑制できる。これにより、床面１８への管継手１０の固定後、フランジ１４を化粧用のカバー２８で覆う場合に、該カバー２８と皿ねじ２４の頭部２４Ａとの干渉を抑制することができる。
【００３９】
なお、固定部材の一例として皿ねじ２４を挙げたが、固定部材はこれに限られるものではなく、頭部形状の異なる他の種類のねじ、釘、或いはリベット等であってもよい。また取付け対象面の一例として床面１８を挙げたが、取付け対象面はこれに限られるものではなく、壁面等であってもよい。更に、必ずしもすべての固定孔１６が、筒体１２の軸線Ｌ１２に対して傾斜していなくてもよい。即ち、上記のように傾斜した固定孔１６と、傾斜のない固定孔（図示せず）とが混在していてもよい。
【００４０】
（試験例）
固定孔を筒体の軸線に対して筒体から離れる方向に５〜３０°傾斜させた管継手のサンプルを作製し、官能試験を実施した。固定孔の傾斜角度が１５°以上の場合、筒体に皿ねじの先端が刺さるよう斜め差しを無理に行うと、固定孔の付近が削れることが確認された。換言すれば、固定孔の傾斜角度を１５°以上にしておけば、固定孔が削れるほど無理に皿ねじを打ち込まない限り、該皿ねじの先端が筒体に刺さらないことが確認された。一方、固定孔が３０°傾斜したサンプルでは、皿ねじの打ち難さが感じられた。従って、筒体の軸線に対する固定孔の傾斜角度範囲は、筒体から離れる方向に１５〜２５°とすることが望ましいことがわかった。
また図４に示されるように、ＣＡＤ上において、固定孔付近を削らないと皿ねじの先端が筒体に刺さらない角度を検証したところ、１４°以上となった。
【符号の説明】
【００４１】
１０    管継手
１２    筒体
１４    フランジ
１４Ａ  入口側の面
１６    固定孔
１８    床面（取付け対象面）
２４    皿ねじ（固定部材）
２６    凸部
Ｌ１２  筒体の軸線
Ｌ１６  固定孔の軸線
【図１】
2012107720.tif 000003
【図２】
2012107720.tif 000004
【図３】
2012107720.tif 000005
【図４】
2012107720.tif 000006